(57)【要約】【課題】コストを抑えつつ、筐体内のスペースの利用効率を高める。【解決手段】カバー部３０を複数枚のカバーパネル３１、３２から構成する場合において、カバーパネル３１、３２を、防水性を有した粘着テープ４３Ａにより連結するようにした。これにより、カバーパネル３１、３２の継ぎ目の部分において、防水性を確実に確保する。カバーパネル３１、３２は制御基板５０上の電子部品５２の実装領域Ａを覆うように設けられている。そして、カバーパネル３１、３２を接続する粘着テープ４３Ａは、プリント基板本体５１およびその表面に実装された電子部品５２との間に間隙をあけて位置するよう設けられている。【選択図】図２
2013115615.tif 000002
【特許請求の範囲】
【請求項１】
筐体の内部に配置され、電子部品が実装された回路基板と、
前記筐体の外表面の少なくとも一面に配置され、前記回路基板を覆うカバー部と、
前記カバー部の外周輪郭部を支持するカバー支持枠と、を備え、
前記カバー部は、
当該カバー部の一部を形成する第一のカバーと、
前記第一のカバーの端部に隣接して配置され、前記カバー部の他部を形成する第二のカバーと、
前記第一のカバーの端部と前記第二のカバーの端部とを跨ぐよう設けられ、前記回路基板との間に前記電子部品が実装可能な間隙を隔てた防水材と、
を備えていることを特徴とする電子機器。
【請求項２】
前記第一のカバーと前記第二のカバーとは、前記カバー部を長手方向に分割する位置の線分を境界として互いに隣接することを特徴とする請求項１に記載の電子機器。
【請求項３】
前記第一のカバー部の端部と前記第二のカバーの端部とを跨ぐよう設けられ、前記防水材に積層して設けられた補強プレートをさらに備えることを特徴とする請求項１または２に記載の電子機器。
【請求項４】
前記第一のカバーと前記第二のカバーは互いに材質が異なり、かつ、前記第二のカバーは樹脂材料からなることを特徴とする請求項１から３のいずれか一項に記載の電子機器。
【請求項５】
前記第一のカバーは、前記回路基板上の電子部品配置領域を覆い、前記第二のカバーは、前記回路基板上に設けられた通信用アンテナを覆うよう設けられていることを特徴とする請求項４に記載の電子機器。
【発明の詳細な説明】
【技術分野】
【０００１】
本発明は、携帯電話端末をはじめとする各種通信端末や、ＰＤＡ（Ｐｅｒｓｏｎａｌ  Ｄｉｇｉｔａｌ  Ａｓｓｉｓｔａｎｔｓ）、デジタルカメラ、音楽再生機器、等の携帯電子端末、その他の電子機器に関する。
【背景技術】
【０００２】
携帯電話端末をはじめとする各種通信端末や、ＰＤＡ、デジタルカメラ、音楽再生機器、等の携帯電子端末、その他の電子機器において、複数枚のカバーパネルを並べて設置することで筐体の一表面を形成することがある。
【０００３】
図６は、特許文献１に記載された従来の電子機器を示す分解図である。この特許文献１には、複数枚のカバーパネル７０,７１を固定するため、筐体内に設けた金属フレーム板７２上に両面貼着部材７３の一面を貼り付け、この両面貼着部材７３の他面を、互いに隣接するカバーパネル７０,７１の継ぎ目に貼り付ける構成が開示されている。
この構成によれば、互いに隣接するカバーパネル７０,７１どうしの継ぎ目において、両面貼着部材７３が、継ぎ目の一方の側のカバーパネル７０と他方の側のカバーパネル７１を跨ぐように貼り付けられることで、この継ぎ目の部分における防水性を確保している。
【先行技術文献】
【特許文献】
【０００４】
【特許文献１】特開２０１０−１３０５８１号公報
【発明の概要】
【発明が解決しようとする課題】
【０００５】
しかし、特許文献１に記載された構成では、両面貼着部材は、継ぎ目の部分において互いに隣接するカバーパネルのそれぞれに一面を貼り付け、金属フレーム板に他面を貼り付けているため、両面貼着部材が貼り付けられた領域には、電子部品等を配置することができない。したがって、筐体内のスペースの利用に制限が生じることとなる。
【０００６】
また、継ぎ目の部分の一方の側と他方の側とを電気回路上で接続するには、配線やフレキシブルプリント基板等で双方を電気的に接続する必要がある。これにより、部品点数が増加し、コスト増加に繋がるので好ましくない。
そこでなされた本発明の目的は、コストを抑えつつ、筐体内のスペースの利用効率を高めることのできる電子機器を提供することである。
【課題を解決するための手段】
【０００７】
本発明は、上記課題を解決するため、以下の手段を採用する。
すなわち、本発明の電子機器は、筐体の内部に配置され、電子部品が実装された回路基板と、筐体の外表面の少なくとも一面に配置され、回路基板を覆うカバー部と、カバー部の外周輪郭部を支持するカバー支持枠と、を備え、カバー部は、当該カバー部の一部を形成する第一のカバーと、第一のカバーの端部に隣接して配置され、カバー部の他部を形成する第二のカバーと、第一のカバーの端部と第二のカバーの端部とを跨ぐよう設けられ、回路基板との間に電子部品が実装可能な間隙を隔てた防水材と、を備えていることを特徴とする。
【発明の効果】
【０００８】
本発明によれば、第一のカバーの端部と第二のカバーの端部との隙間を塞ぐ防水材が、回路基板との間に電子部品が実装可能な間隙を隔てて設けられている。これにより、第一のカバーの端部と第二のカバーの端部との継ぎ目の部分であっても、カバー部と回路基板との間に、電子部品等を実装するスペースが確保できる。しかもこのような構成は、防水材があれば実現できるため、低コストで筐体内のスペースの利用効率を高めることができる。
【図面の簡単な説明】
【０００９】
【図１】第１の実施形態にかかる筐体の構成を示す斜視展開図である。
【図２】図１に示した筐体の断面図である。
【図３】第２の実施形態にかかる筐体の構成を示す斜視展開図である。
【図４】図３に示した筐体の断面図である。
【図５】筐体を組み立てるときの構成を示す図である。
【図６】特許文献１に記載された従来の電子機器を示す分解図である。
【発明を実施するための形態】
【００１０】
以下、添付図面を参照して、本発明による携帯電子機器を実施するための最良の形態を説明する。しかし、本発明はこれらの実施例のみに限定されるものではない。
［第１の実施形態］
図１、図２に示すように、携帯電子端末（電子機器）１０Ａの筐体１１は、矩形のパネル状で、その一面側がモニタ部２０とされ、他面側がカバー部３０とされている。なお、筐体１１の一端には、ヒンジ１１ａを介し、操作キーを備えた図示しない操作筐体が回動自在に連結される。携帯電子端末１０Ａが、モニタ部２０をタッチすることにより操作がなされるタッチパネル式である場合には、筐体１１単独で携帯電子端末１０Ａを構成することもできる。
【００１１】
図２に示すように、筐体１１は、筐体１１の外周形状に沿った環状の枠体（カバー支持枠）１２を備えている。
枠体１２の内側面には、内周側に突出する部材保持部１３が形成されている。部材保持部１３には、モニタ部２０側とカバー部３０側に、部材保持面１３ａ、１３ｂが形成されている。また、部材保持部１３の内側面には、筐体１１の厚さ方向の中間部に、周方向に連続する保持溝１３ｃが形成されている。
【００１２】
筐体１１は、その強度を確保するベース部材として機能するとともに、電気的な接地部、熱を放熱するヒートシンクとして機能する金属プレート１４を備えている。この金属プレート１４は、部材保持部１３の保持溝１３ｃに、その外周部が嵌め込まれ、これによって金属プレート１４が枠体１２と一体化されている。
【００１３】
金属プレート１４の一面側には、モニタ部２０を構成する液晶ディスプレイユニット２１が実装されている。
この液晶ディスプレイユニット２１を覆うように、透過性を有したガラス等からなる透過パネル２２が設けられている。透過パネル２２は、その外周部が、防水性を有した両面粘着テープ４０等により、枠体１２の部材保持面１３ａに貼り付けられている。
【００１４】
金属プレート１４の他面側には、制御基板５０が実装されている。制御基板５０は、プリント基板本体（回路基板）５１と、プリント基板本体５１の表面上に実装された各種の電子部品５２とから構成される。ここで、プリント基板本体５１は、電子部品５２の実装面とは反対側の面を、金属プレート１４に突き合わせた状態で設けられている。
【００１５】
図１、図２に示したように、カバー部３０は、複数枚（本実施形態では２枚）のカバーパネル３１、３２から構成されている。本実施形態において、一方のカバーパネル（第一のパネル）３１は金属製とされ、他方のカバーパネル（第二のパネル）３２は樹脂製とされている。
図１に示すように、これらのカバーパネル３１、３２は、それぞれ矩形で、その境界が、カバー部３０全体において、互いに対向する長辺３０ａ、３０ｂどうしを結ぶ境界線Ｌに沿うよう設けられている。これにより、カバー部３０は、一方のカバーパネル３１と他方のカバーパネル３２とにより、その長手方向に沿って二つに分割されている。
【００１６】
これらのカバーパネル３１、３２は制御基板５０上の電子部品５２の実装領域Ａを覆うように設けられている。そして、樹脂製のカバーパネル３２は、制御基板５０上に実装された通信用アンテナ（図示無し）を覆うよう配置されている。これにより、アンテナで送受信する電波がカバーパネル３２を透過可能となっている。
【００１７】
カバーパネル３１において境界線Ｌに沿った端部３１ａには、筐体１１の外方に面した側に、境界線Ｌに沿った方向に延びる段部３１ｂが形成されている。これに対し、カバーパネル３２は、筐体１１の外方に面した側に、境界線Ｌに沿った方向に連続し、段部３１ｂに噛み合う形状の凸部３２ｂが形成されている。
【００１８】
そして、これらのカバーパネル３１、３２は、枠体１２の部材保持面１３ｂ上に三辺がそれぞれ位置し、防水性を有した両面粘着テープ４１等により固定されている。
また、一方のカバーパネル３１と、他方のカバーパネル３２とが、境界線Ｌに沿って突き合わせされた部分では、電子部品５２の実装領域Ａに臨む側（筐体１１の内部空間側）において、防水性を有した粘着テープ（防水材）４３Ａにより連結されている。すなわち、粘着テープ４３Ａは、カバーパネル３１、３２の境界線Ｌに沿って延びる帯状で、カバーパネル３１において境界線Ｌに沿った端部３１ａに幅方向一方の側が接着され、カバーパネル３２において境界線Ｌに沿った端部３２ａに幅方向他方の側が接着されている。これにより、カバーパネル３１とカバーパネル３２の継ぎ目の部分は、粘着テープ４３Ａにより覆われ、この部分における防水性が確保されている。
なお、図１に示したように、両面粘着テープ４１と粘着テープ４３Ａは、これらを一体に形成した両面粘着テープ部材４５により形成されている。これにより、筐体１１の内部空間はその全周に亘って防水性が確保されている。
【００１９】
ここで、前述したように、カバーパネル３１、３２は制御基板５０上の電子部品５２の実装領域Ａを覆うように設けられている。そして、カバーパネル３１、３２を接続する粘着テープ４３Ａは、プリント基板本体５１およびその表面に実装された電子部品５２との間に間隙をあけて位置するよう設けられている。すなわち、粘着テープ４３Ａの下方には、筐体１１の梁（または隔壁）が設けられていない。
【００２０】
上述したような構成によれば、カバー部３０を複数枚のカバーパネル３１、３２から構成する場合において、カバーパネル３１、３２を、電子部品５２の実装領域Ａに臨む側（筐体１１の内部空間側）において、防水性を有した粘着テープ４３Ａにより連結するようにした。これにより、カバーパネル３１、３２の継ぎ目の部分において、防水性を確実に確保することができる。
このとき、カバーパネル３１、３２は制御基板５０上の電子部品５２の実装領域Ａを覆うように設けられている。そして、カバーパネル３１、３２を接続する粘着テープ４３Ａは、プリント基板本体５１およびその表面に実装された電子部品５２との間に間隙をあけて位置するよう設けられている。これにより、カバーパネル３１、３２およびこれらを接続する粘着テープ４３Ａとプリント基板本体５１との間の実装領域Ａに各種の電子部品５２を配置することが可能となり、電子部品５２の配置の自由度を高めるとともに、筐体１１内のスペースの有効利用を図ることができる。
さらに、カバーパネル３１に対向した領域と、カバーパネル３２に対向した領域とを連通させるために別途配線やプリント配線基板が必要なわけでもなく、部品点数の増加、コスト増加を招くことなく、低コストで上記効果を得ることができる。
【００２１】
また、段部３１ｂと凸部３２ｂを互いに噛み合わせることで、カバーパネル３１、３２の隙間からは粘着テープ４３Ａが外部に露出せず、外部から突起物が粘着テープ４３Ａに突き刺さるのを防ぐことができる。また、段部３１ｂと凸部３２ｂとが噛み合うことで、カバーパネル３１、３２からなるカバー部３０の剛性を高め、外圧により撓むのを防ぐことができる。
【００２２】
［第２の実施形態］
次に、本発明に係る携帯電子機器の第２の実施形態について説明する。
ここでは、上述の第１の実施形態で示した構成との差異を中心に説明し、上述の第１の実施形態で示した構成と共通する構成については同符号を付してその説明を省略する。
【００２３】
図３、図４に示す本実施形態の携帯電子端末（電子機器）１０Ｂは、一方のカバーパネル３１と他方のカバーパネル３２とが境界線Ｌに沿って突き合わせされた部分が、電子部品５２の実装領域Ａに臨む側（筐体１１の内部空間側）において、防水性を有した両面粘着テープ（防水材）４３Ｂにより連結されている。すなわち両面粘着テープ４３Ｂは、カバーパネル３１、３２の境界線Ｌに沿って延びる帯状で、カバーパネル３１において境界線Ｌに沿った端部３１ａに幅方向一方の側が接着され、カバーパネル３２において境界線Ｌに沿った端部３２ａに幅方向他方の側が接着されている。これにより、カバーパネル３１とカバーパネル３２の継ぎ目の部分は両面粘着テープ４３Ｂにより覆われ、この部分における防水性が確保されている。
【００２４】
そして、この両面粘着テープ４３Ｂにおいて、電子部品５２の実装領域Ａに臨む側（筐体１１の内部空間側）には、補強プレート６０が貼り付けられている。
この補強プレート６０には、プリント基板本体５１の電子部品５２に対向する位置に、電子部品５２との干渉を防ぐため開口部６１が形成されている。
【００２５】
このような構成においては、一方のカバーパネル３１と他方のカバーパネル３２とが、両面粘着テープ４３Ｂにより接続され、さらに、両面粘着テープ４３Ｂが補強プレート６０により補強されている。これにより、図５に示すように、筐体１１の組み立て現場において、両面粘着テープ４３Ｂにより、予めカバーパネル３１、３２にどうしを連結した状態としたときに、補強プレート６０によって、カバーパネル３１、３２が境界線Ｌの部分で折れ曲がるのを防ぐことができる。
【００２６】
（その他の実施形態）
なお、本発明の携帯電子機器は、図面を参照して説明した上述の各実施形態に限定されるものではなく、その技術的範囲において様々な変形例が考えられる。
例えば、携帯電子端末１０Ａ,１０Ｂの筐体１１の各部構成は、適宜他の構成とすることができる。
また、上述の実施形態では、カバーパネル３１を金属製としたが、これに限るものではなく、カバーパネル３２と同様の樹脂製をはじめ、適宜材料を用いても良い。
また、カバーパネル３１、３２の境界線は、他のいかなる位置、形状で設けても良い。
さらに、上記した携帯電子端末１０Ａ、１０Ｂに限らず、他の様々な電子機器にも本発明を同様に適用することができる。
これ以外にも、本発明の主旨を逸脱しない限り、上記実施の形態で挙げた構成を取捨選択したり、他の構成に適宜変更することが可能である。
【００２７】
また、本発明に係る防水材としては、本実施形態の両面粘着テープに代えて、接着剤を用いることもできる。
また、カバー部３０を二つに分割する態様は、本実施形態のように長手方向に沿って二つに分割するだけでなく、種々の態様での分割が可能である。例えば、額縁形状の外側部材と、その内側空間に嵌合する形状の内側部材とに二分割する態様や、ドーナツ形状の外側部材と、その内側空間に嵌合する形状の内側部材とに二分割する態様が挙げられる。
更に、本実施形態ではカバー部３０を２枚のカバーパネル３１,３２により構成したが、カバーパネルの枚数は２枚に限定されず、３枚以上のカバーパネルによってカバー部３０を構成してもよい。
【符号の説明】
【００２８】
１０Ａ、１０Ｂ  携帯電子端末（電子機器）
１１  筐体
１１ａ  ヒンジ
１２  枠体（カバー支持枠）
１３  部材保持部
１３ａ  部材保持面
１３ｂ  部材保持面
１３ｃ  保持溝
１４  金属プレート
２０  モニタ部
２１  液晶ディスプレイユニット
２２  透過パネル
３０  カバー部
３０ａ  長辺
３０ｂ  長辺
３１  カバーパネル（第一のパネル）
３１ａ  端部
３１ｂ  段部
３２  カバーパネル（第二のパネル）
３２ａ  端部
３２ｂ  凸部
４０  両面粘着テープ
４１  両面粘着テープ
４３Ａ  粘着テープ（防水材）
４３Ｂ  両面粘着テープ（防水材）
４５  両面粘着テープ部材
５０  制御基板
５１  プリント基板本体（回路基板）
５２  電子部品
６０  補強プレート
６１  開口部
Ａ  実装領域
Ｌ  境界線
【図１】
2013115615.tif 000003
【図２】
2013115615.tif 000004
【図３】
2013115615.tif 000005
【図４】
2013115615.tif 000006
【図５】
2013115615.tif 000007
【図６】
2013115615.tif 000008